(57)【要約】【課題】  第一光源部１１によって、第一の照射エリアを照らすとともに、第二の光源部１２によって、第一の照射エリアの周囲である第二の照射エリアを照らすようにして、演出効果の高い照明装置１００を得る。【解決手段】  第一光源部１１と、この第一光源部１１の周囲を囲うように配置され、第一光源部１１と光色が異なる第二光源部１２とを有するので、第一光源部１１によって、第一の照射エリアを照らすとともに、第二の光源部１２によって、第一の照射エリアの周囲である第二の照射エリアを照らして、第一及び第二の照射エリアを組み合わせた演出効果を高めることができる。【選択図】  図１２
2015162407.tif 000002
【特許請求の範囲】
【請求項１】
第一光源部と、
前記第一光源部の周縁部に配置される前記第一光源部とは異なる光色の第二光源部と、
外部からの制御信号に応じて、前記第一光源部と前記第二光源部にそれぞれに電力を供給する電源部と、を備え、
前記第一光源部から得られる配光は集光であり、前記第二光源部から得られる配光は前記第一光源部から得られる配光よりも広角であることを特徴とする照明装置。
【請求項２】
前記第二光源部は、前記第一光源部の色温度よりも低い色温度であることを特徴とする請求項１に記載の照明装置。
【請求項３】
前記第一光源部の光色は白色であることを特徴とする請求項１または請求項２に記載の照明装置。
【請求項４】
前記第二光源部の光色は電球色であることを特徴とする請求項１〜請求項３のいずれかに記載の照明装置。
【請求項５】
前記第二光源部は、前記第一光源部の色温度よりも高い色温度であることを特徴とする請求項１に記載の照明装置。
【請求項６】
前記第一光源部の光色は電球色であることを特徴とする請求項１または請求項２に記載の照明装置。
【請求項７】
前記第二光源部の光色は白色であることを特徴とする請求項１〜請求項３のいずれかに記載の照明装置。
【請求項８】
請求項１〜請求項７のいずれかに記載の照明装置と、
前記照明装置に接続され、前記電源部が前記第一光源部と前記第二光源部にそれぞれ供給する電力量を調整する制御信号を前記電源部へ出力する制御装置と、
を備えることを特徴とする照明制御システム。
【発明の詳細な説明】
【技術分野】
【０００１】
調光するとともに、光色が変化する照明装置に関するものである。
【背景技術】
【０００２】
調光機能を有し、該本体の中央部に配置される局所照明ユニットと、調光機能を有し、局所照明ユニットを囲むように該本体に配置される全般照明ユニットと、を有する照明器具がある。この照明器具は、調光スイッチから得られる操作入力に応じて、局所照明ユニット及び全般照明ユニットの各光出力を制御するように構成される制御部を有し、この制御部は、照明器具の光出力を下げるための操作入力が該調光スイッチから得られたとき、全般照明ユニットの光出力が、最大出力より低いしきい出力より高ければ、局所照明ユニットの光出力を最大出力に保ちながら全般照明ユニットの光出力を下げ、また全般照明ユニットの光出力がしきい出力と等しいかそれより低ければ、少なくとも該局所照明ユニットの光出力を下げるように構成されるものである。（例えば、特許文献１参照。）
【先行技術文献】
【特許文献】
【０００３】
【特許文献１】特許第５３７４４０８号公報
【発明の概要】
【発明が解決しようとする課題】
【０００４】
しかしながら、特許文献１における照明器具においては、局所照明ユニットと全般照明ユニットの光出力を制御部によって、それぞれを連動させて明るさを変え、直下と周囲床面の照度分布が変化し、部屋中央部（直下）の照度を確保しながら平均照度が下がるようにして、作業性を維持するものであり、部屋全体の明るさが変化してしまうという課題があった。
【０００５】
本発明は、第一光源部と、この第一光源部の周囲を囲うように配置され、第一光源部と光色が異なる第二光源部とを有するので、第一光源部によって、第一の照射エリアを照らすとともに、第二の光源部によって、第一の照射エリアの周囲である第二の照射エリアを照らすことを目的とする。
【課題を解決するための手段】
【０００６】
本発明の照明装置は、第一光源部と、前記第一光源部の周縁部に配置される前記第一光源部とは異なる光色の第二光源部と、外部からの制御信号に応じて、前記第一光源部と前記第二光源部にそれぞれに電力を供給する電源部と、を備え、前記第一光源部から得られる配光は集光であり、前記第二光源部から得られる配光は前記第一光源部から得られる配光よりも広角であることを特徴とする。
【発明の効果】
【０００７】
第一光源部と、この第一光源部の周囲を囲うように配置され、第一光源部と光色が異なる第二光源部とを有するので、第一光源部によって、第一の照射エリアを照らすとともに、第二の光源部によって、第一の照射エリアの周囲である第二の照射エリアを照らして、第一及び第二の照射エリアを組み合わせた演出効果を高めることができる。
【図面の簡単な説明】
【０００８】
【図１】実施の形態１に示す照明装置の斜視図である。
【図２】図１の照明装置の分解斜視図である。
【図３】図１の照明装置を別の角度から見たときの状態を示す斜視図である。
【図４】図１の照明装置の発光部分を示す正面図である。
【図５】図１の照明装置のＡ−Ａ断面を示す断面図である。
【図６】図１の照明装置のＢ−Ｂ断面を示す断面図である。
【図７】図１の電源装置の回路構成を示すブロック図である。
【図８】図１の照明装置よって得られる配光を示す図である。
【図９】図１の照明装置よって得られる他の配光を示す図である。
【図１０】図１の照明装置よって得られる他の配光を示す図である。
【図１１】図１の照明装置よって得られる他の配光を示す図である。
【図１２】図１の照明装置が発する光の状態を示す図である。
【発明を実施するための形態】
【０００９】
実施の形態１．
図１は、実施の形態１に示す照明器具の斜視図、図２は、図１に示す照明器具の分解斜視図、図４は、図１の照明装置の発光部分を示す正面図、図５は、図１の照明装置のＡ−Ａ断面を示す断面図、図６は、図１の照明装置のＢ−Ｂ断面を示す断面図である。
【００１０】
照明装置１００は、灯具１０と、この灯具１０を回動自在に支持する灯具支持部２０と、この灯具支持部２０が回動可能に取り付けられる枠本体部３０と、灯具から引き出された電線４０を介して接続される電源装置５０とを備える。
【００１１】
灯具１０は、円形状の発光部分を有し、発光部分の略中央部分に円形状に形成される第一光源部１１と、この第一光源部１１の外周（周縁部）にリング状に配置される第二光源部１２と、を有する。
【００１２】
第一光源部１１は、例えば、電球色を発する第一ＬＥＤ１１ａと、この第一ＬＥＤ１１ａの発光部側に設けられる集光レンズ１１ｂを有する。
【００１３】
第二光源部１２は、例えば、白色（昼光色、昼白色）を発する第二ＬＥＤ１２ａと、この第二ＬＥＤ１２ａの発光部側に設けられる拡散レンズ１２ｂを有する。このように、第二光源部１２の光色は、第一光源部１１の光色と異なるものである。
なお、第一ＬＥＤ１１ａ、第二ＬＥＤの光色は、色温度で表記されることがあり、たとえば、電球色は約３０００Ｋ、温白色は約３５００Ｋ、白色は約４２００Ｋ、昼白色は５０００Ｋ、昼光色６５００Ｋというように示される。
【００１４】
灯具支持部２０は、リング状に形成され、灯具１０を回動させるとともに支持する回動支持部２１と、自身が回転するように枠本体部３０に載りかかる回転取付部２２と、を備える。
【００１５】
枠本体部３０は、リング状を形成し、天井などの埋め込み穴に取り付けられるとともに、回転取付部２２が載りかかる枠部３１と、この枠部３１の周枠部に取り付けられ、埋め込み穴に係合して枠部３１を埋め込み穴に固定する３つの取付バネ部３２（以下、板バネ部３２ともいう。）と、を備える。
【００１６】
図７は、図１の電源装置の回路構成を示すブロック図である。
電源装置５０は、ケース５１と、このケース５１に収められ、第一光源部１１と第二光源部１２に電力を供給する電源部５２と、この電源部５２に電気的に接続され、電源部５２から出力する電力を調整する制御部５３と、を備える。
【００１７】
電源部５２は、整流回路５２ａと、この整流回路５２ａに接続され、第一光源部１１を点灯する第一ＤＣ−ＤＣコンバータ５２ｂ（第一点灯回路５２ｂともいう。）と、同じく整流回路５２ａに接続され、第二光源部１２を点灯させる第二ＤＣ−ＤＣコンバータ５２ｃ（第二点灯回路５２ｃともいう。）と、制御部５３からの制御信号を受けて、第一ＤＣ−ＤＣコンバータ５２ｂと第二ＤＣ−ＤＣコンバータ５２ｃが出力する電力（電流、電圧）をそれぞれ独立して変化させる点灯制御回路５２ｄと、を備える。なお、整流回路５２ａは、少なくともダイオードブリッジを有し、平滑コンデンサなどによって、脈流電圧を平滑する平滑回路を含む場合がある。
【００１８】
制御部５３は、電源部５２の点灯制御回路５２ｄに調光信号を出力する調光信号出力回路５３ａと、この調光信号出力回路５３ａが出力する調光信号の内容を決定する調整部５３ｂとを有する。
【００１９】
調光信号出力回路５３ａは、例えば２系統のＰＷＭ（パルス幅変調）信号や、デジタル信号などの調光信号を出力するものである。本実施の形態においては、２系統のＰＷＭ信号を出力する調光信号出力回路５３ａである場合を説明する。
【００２０】
調整部５３ｂは、ダイヤル式またはスライド式のボリューム、リモコンやＰＣなどのコンピュータ、照明制御用コントローラなどである。本実施の形態においては、ダイヤル式のボリュームである場合を説明する。また、制御部５３は、電源装置５０に接続される外部機器（例えば、照明装置１００に接続される制御装置。この制御装置と照明装置１００とを組み合わせた状態を照明制御システムともいう。）に内蔵される場合もある。
【００２１】
次に、本実施の形態の照明装置１００における光の制御について説明する。
図８は、図１の照明装置よって得られる配光を示す図（後述する第一シーン１）、図９は、図１の照明装置よって得られる他の配光を示す図（後述する第一シーン２）、図１０は、図１の照明装置よって得られる他の配光を示す図（後述する第一シーン３）、図１１は、図１の照明装置よって得られる他の配光を示す図（後述する第一シーン３の変形例）、図１２は、図１の照明装置が発する光の状態を示す図である。
【００２２】
商用電源を電源装置５０（電源部５２）に供給すると、電源部５２は、第一光源部１１と第二光源部１２を点灯させる。第一光源部１１と第二光源部１２が発する光量は制御部５３の調整部５３ｂによって決定される出力設定（照度設定）値に基づいている。
【００２３】
例えば、第一光源部１１の光出力を最大とし、第二光源部１２の光出力が最小（または消灯）の場合、図８に示すような配光（以下、第一シーンという。）となる。このとき、第一光源部１１は、集光された光であるため、床面や壁面などの特定のエリア（第一照射エリア）を照らす。このようにすることによって、第一照射エリアを明るくしながら、第一照射エリア外は暗くすることができ、特定エリアをライトアップするというスポットライトのような演出ができる。また、第一光源部１１の発光色を電球色などの色温度の低いものを用いることによって、第一照射エリア外が暗く、集光された光であっても看者は違和感なく、自然な空間を感じることができる。また、電球色は暖色系の色味のため、看者に温かみのある落ち着いた印象を与える空間演出ができる。
【００２４】
次に、第一光源部１１の光出力を最小（または消灯）とし、第二光源部１２の光出力が最大の場合、図９に示すような配光（以下、第二シーンという。）となる。このとき、第二光源部１２は、拡散された光であるため、床面や壁面などの第一照射エリアを中心とした広範囲のエリア（第二照射エリア）を照らす。このようにすることによって、第二照射エリアを明るくするので、居室内の広い範囲が明るくし、居住空間（作業空間）としての演出をすることができる。また、第二光源部の発光色を第一光源部の発光色よりも色温度の高いもの、例えば昼光色などを用いることによって、日中の自然光を再現した活性化された空間であるように看者に訴えることができる。
【００２５】
次に、第一光源部１１の光出力を中間出力とし、第二光源部１２の光出力を中間出力とした場合、図１０に示すような配光（以下、第三シーンという。）となる。このとき、第一光源部１１は集光された光であるため、上述のように、床面や壁面などの特定のエリア（第一照射エリア）を照らし、第二光源部１２は、拡散された光であるため、第一照射エリアを中心として第一照射エリアの外周のエリア（第二照射エリア）を照らす。このようにすることによって、第一照射エリアを最大の明るさにしながら、第二照射エリアは第一照射エリアに対して、少し暗くなるようにすることができ、中心部分から外方に行くにしたがって、徐々に暗くなるようなグラデーションかかった演出をすることができる。また、第一光源部の発光色を色温度の低い、例えば電球色を用い、第二光源部の発光色を第一光源部の発光色よりも色温度の高い、例えば昼光色を用いることによって、第一照射エリアと第二照射エリアの色味が変わるので、光色と配光が混ざり合うことで、明るい雰囲気の中に照射エリアが浮き立ち、全体（周辺）と照射エリアのコントラストを調整し、立体感と明るさ感のある空間を演出することができる。
【００２６】
なお、第一光源部１１と第二光源部１２は、調整部５３ｂによって独立して光出力を調整することができるので、図１１、図１２に示すように第一照射エリア、第二照射エリアの光出力が変化することにより、第一シーンから第三シーンの間の設定や、第二シーンから第三シーンの間の設定など、看者が得たい演出を自在に調整することができる。
【００２７】
また、灯具支持部２０によって、灯具１０を回動自在にしているため、看者は照らしたいエリアを床面から壁面へ、壁面から床面への変更などが自在にでき、光による居室内の演出を自在に変更することができる。
【００２８】
なお、本実施の形態にて、第二光源部１２に拡散レンズ１２ｂを備える場合について説明したが、拡散レンズ１２ｂに限らず、拡散シートなどの板状の拡散部材であっても構わない。
【００２９】
実施の形態２．
本実施の形態は、実施の形態１の第一光源部（第一ＬＥＤ）と第二光源部（第二ＬＥＤ）の光色が異なるものである。本実施の形態において、実施の形態１と同様な構成については同符号を付し、説明を省略する。
【００３０】
灯具１３は、円形状の発光部分を有し、発光部分の略中央部分に円形状に形成される第一光源部１４と、この第一光源部１４の外周（周縁部）にリング状に配置される第二光源部１５と、を有する。なお、本実施の形態における灯具１３は、実施の形態１の図１の灯具１０に相当し、本実施の形態における第一光源部１４、第二光源部１５は、実施の形態１の図４の第一光源部１１、第二光源部１２に相当する。
【００３１】
第一光源部１４は、例えば、白色（昼光色、昼白色）を発する第一ＬＥＤ１４ａと、この第一ＬＥＤ１４ａの発光部側に設けられる集光レンズ１１ｂを有する。
【００３２】
第二光源部１５は、例えば、電球色を発する第二ＬＥＤ１５ａと、この第二ＬＥＤ１５ａの発光部側に設けられる拡散レンズ１２ｂを有する。このように、第二光源部１５の光色は、第一光源部１４の光色と異なるものである。
【００３３】
次に、本実施の形態の照明装置１００における光の制御について説明する。
商用電源を電源装置５０（電源部５２）に供給すると、電源部５２は、第一光源部１４と第二光源部１５を点灯させる。第一光源部１４と第二光源部１５が発する光量は制御部５３の調整部５３ｂによって決定される出力設定（照度設定）値に基づいている。
【００３４】
例えば、第一光源部１４の光出力を最大とし、第二光源部１５の光出力が最小（または消灯）の場合、実施の形態１の図８に示すような配光（第一シーン）となる。このとき、第一光源部１４は、集光された光であるため、床面や壁面などの特定のエリア（第一照射エリア）を照らす。このようにすることによって、第一照射エリアを明るくしながら、第一照射エリア外は暗くすることができ、特定エリアをライトアップするというスポットライトのような演出ができる。また、第一光源部１１の発光色を昼光色などの色温度の高いものを用いることによって、第一照射エリア外が暗くし、第一照射エリアが明るくなるので、例えば床面を第一照射エリアとした場合、その周囲の床面や壁面が暗くなるので、非日常的な雰囲気の演出などもできる。
【００３５】
次に、第一光源部１４の光出力を最小（または消灯）とし、第二光源部１５の光出力が最大の場合、図９に示すような配光（第二シーン）となる。このとき、第二光源部１５は、拡散された光であるため、床面や壁面などの第一照射エリアを中心とした広範囲のエリア（第二照射エリア）を照らす。このようにすることによって、第二照射エリアを明るくするので、居室内の広い範囲が明るくし、居住空間（作業空間）としての演出をすることができる。また、第二光源部の発光色を第一光源部の発光色よりも色温度の低いもの、例えば電球色などを用いることによって、夕方の自然光を再現した落ち着いた安堵感のある空間を演出することができる。
【００３６】
次に、第一光源部１４の光出力を中間出力とし、第二光源部１５の光出力を中間出力とした場合、図１０に示すような配光（第三シーン）となる。このとき、第一光源部１４は集光された光であるため、上述のように、床面や壁面などの特定のエリア（第一照射エリア）を照らし、第二光源部１５は、拡散された光であるため、第一照射エリアを中心として第一照射エリアの外周のエリア（第二照射エリア）を照らす。このようにすることによって、第一照射エリアを最大の明るさにしながら、第二照射エリアは第一照射エリアに対して、少し暗くなるようにすることができ、中心部分から外方に行くにしたがって、徐々に暗くなるようなグラデーションかかった演出をすることができる。また、第一光源部の発光色を色温度の高い、例えば昼光色を用い、第二光源部の発光色を第一光源部の発光色よりも色温度の低い、例えば電球色を用いることによって、第一照射エリアと第二照射エリアの色味が変わるので、光色と配光が混ざり合うことで、明るい雰囲気の中に照射エリアが浮き立ち、全体（周辺）と照射エリアのコントラストを調整し、立体感と明るさ感のある空間を演出することができる。
【符号の説明】
【００３７】
１００  照明装置、１０、１３  灯具、１１、１４  第一光源部、１１ａ、１４ａ  第一ＬＥＤ、１１ｂ、１４ｂ  集光レンズ、１２、１５  第二光源部、１２ａ、１５ａ  第二ＬＥＤ、１２ｂ、１５ｂ  拡散レンズ、２０  灯具支持部、２１  回動支持部、２２  回転取付部、３０  枠本体部、３１  枠部、３２  取付バネ部、４０  電線、５０  電源装置、５１  ケース、５２  電源部、５２ａ  整流回路、５２ｂ  第一ＤＣ−ＤＣコンバータ、５２ｃ  第二ＤＣ−ＤＣコンバータ、５２ｄ  点灯制御回路、５３  制御部、５３ａ  調光信号出力回路、５３ｂ  調整部、５３ｂａ  ダイヤル式のボリューム。
【図１】
2015162407.tif 000003
【図２】
2015162407.tif 000004
【図３】
2015162407.tif 000005
【図４】
2015162407.tif 000006
【図５】
2015162407.tif 000007
【図６】
2015162407.tif 000008
【図７】
2015162407.tif 000009
【図８】
2015162407.tif 000010
【図９】
2015162407.tif 000011
【図１０】
2015162407.tif 000012
【図１１】
2015162407.tif 000013
【図１２】
2015162407.tif 000014